(57)【要約】      （修正有）【課題】筋電位波形の中に含まれるサイレントピリオドの統計値、発現率及びその変化量算出方法、これらのプログラム及び装置に関し、人為的なエラーや測定者の個人差などを排除した一定のデータを取得することができるサイレントピリオド統計値算出方法を提供する。【解決手段】筋電位データ内の最大値と最小値の電位差の２０％以内で任意に設定されたサイレントピリオド発現電位範囲であって０．００２秒〜０．０４秒の範囲で任意に設定されたサイレントピリオド持続時間範囲にある筋電位データ中のデータ群をサイレントピリオドデータ群とし、サイレントピリオドデータ群の個数、最大時間、最小時間、平均値（時間）、中央値（時間）、最頻値（時間）、標準偏差の内の少なくとも一つ以上を算出し表示する。【選択図】図１
2015188654.tif 000002
【特許請求の範囲】
【請求項１】
時間単位の筋電位サンプルを有する筋電位データからサイレントピリオドの統計値を算出するサイレントピリオド統計値算出方法であって、
筋電位データ内の最大値と最小値の電位差の２０％以内で任意に設定されたサイレントピリオド発現電位範囲であって０．００２秒〜０．０４秒の範囲で任意に設定されたサイレントピリオド持続時間範囲にある筋電位データ中のデータ群をサイレントピリオドデータ群とし、
サイレントピリオドデータ群の個数、最大時間、最小時間、平均値（時間）、中央値（時間）、最頻値（時間）、標準偏差の内の少なくとも一つ以上を算出し表示するサイレントピリオド統計値算出方法。
【請求項２】
筋電位データからサイレントピリオドデータ群の発現率を算出するサイレントピリオド発現率算出方法であって、
筋電位データ内の最大値と最小値の電位差の２０％以内で任意に設定されたサイレントピリオド発現電位範囲であって０．００２秒〜０．０４秒の範囲で任意に設定されたサイレントピリオド持続時間範囲にある筋電位データ中のデータ群をサイレントピリオド群とし、
サイレントピリオドデータ群の個数をサイレントピリオド回数とし、
筋電位データ内の最大値と最小値の電位差の２０％以内で任意に設定された筋電位未発現範囲であって０．０２秒〜６０秒の範囲で任意に設定された筋電位未発現時間範囲以上である筋電位データ中のデータ群を筋電位未発現データ群とし、
筋電位未発現データ群の個数から１つ少ない数をタッピング回数とし、
単位タッピング回数あたりのサイレントピリオドの回数としてサイレントピリオドの発現率を算出し表示するサイレントピリオド発現率算出方法。
【請求項３】
請求項１、２記載の方法で算出された複数のサイレントピリオドの統計値もしくは発現率の差を算出し表示するサイレントピリオド変化量算出方法。
【請求項４】
筋電位データからサイレントピリオドの統計値を算出するサイレントピリオド統計値算出プログラムであって、
筋電位データ内の最大値と最小値の電位差の２０％以内で任意に設定されたサイレントピリオド発現電位範囲であって０．００２秒〜０．０４秒の範囲で任意に設定されたサイレントピリオド持続時間範囲にある筋電位データ中のデータ群をサイレントピリオドデータ群とし、
サイレントピリオドデータ群の個数、最大時間、最小時間、平均値（時間）、中央値（時間）、最頻値（時間）、標準偏差の内の少なくとも一つ以上を算出し表示するサイレントピリオド統計値算出プログラム。
【請求項５】
筋電位データからサイレントピリオドの発現率を算出するサイレントピリオド発現率算出プログラムであって、
筋電位データ内の最大値と最小値の電位差の２０％以内で任意に設定されたサイレントピリオド発現電位範囲であって０．００２秒〜０．０４秒の範囲で任意に設定されたサイレントピリオド持続時間範囲にある筋電位データ中のデータ群をサイレントピリオドデータ群とし、
サイレントピリオドデータ群の個数をサイレントピリオド回数とし、
筋電位データ内の最大値と最小値の電位差の２０％以内で任意に設定された筋電位未発現範囲であって０．０２秒〜６０秒の範囲で任意に設定された筋電位未発現時間範囲以上である筋電位データ中のデータ群を筋電位未発現データ群とし、
筋電位未発現データ群の個数から１つ少ない数をタッピング回数とし、
単位タッピング回数あたりのサイレントピリオドの回数としてサイレントピリオドの発現率を算出し表示するサイレントピリオド発現率算出プログラム。
【請求項６】
請求項４、５記載のプログラムで算出された複数のサイレントピリオドの統計値もしくは発現率の差を算出し表示するサイレントピリオド変化量算出プログラム。
【請求項７】
筋電位データからサイレントピリオドの統計値を算出する記憶装置、演算装置、入力装置、表示装置を有するサイレントピリオド統計値算出装置であって、
入力装置を用いて、記憶装置に保存された筋電位データをソフトウェアにて読み出し、演算装置にて、筋電位データ内の最大値と最小値の電位差の２０％以内で任意に設定されたサイレントピリオド発現電位範囲及びその持続時間を算出し、その持続時間が０．００２秒〜０．０４秒の範囲で任意に設定されたサイレントピリオド持続時間範囲にある場合、その筋電位データ中のデータ群をサイレントピリオドデータ群と認定し、
認定されたサイレントピリオドデータ群からサイレントピリオド群の個数、最大時間、最小時間、平均値（時間）、中央値（時間）、最頻値（時間）、標準偏差の内の少なくとも一つ以上を算出し表示するサイレントピリオド統計値算出装置。
【請求項８】
筋電位データからサイレントピリオドの発現率を算出する記憶装置、演算装置、入力装置、表示装置を有するサイレントピリオド発現率算出装置であって、
入力装置を用いて、記憶装置に保存された筋電位データをソフトウェアにて読み出し、演算装置にて、筋電位データ内の最大値と最小値の電位差の２０％以内で任意に設定されたサイレントピリオド発現電位範囲及びその持続時間を算出し、その持続時間が０．００２秒〜０．０４秒の範囲で任意に設定されたサイレントピリオド持続時間範囲にある場合、そのデータ群をサイレントピリオドデータ群と認定し、
認定されたサイレントピリオドデータ群の個数をサイレントピリオド回数とし、
演算装置を用いて、筋電位データ内の最大値と最小値の電位差の２０％以内で任意に設定された筋電位未発現範囲及びその持続時間を算出し、その持続時間が０．０２秒〜６０秒の範囲で任意に設定された筋電位未発現時間範囲にある場合、その筋電位データ中のデータ群を筋電位未発現データ群とし、
筋電位未発現データ群の個数から１つ少ない数をタッピング回数とし、
単位タッピング回数あたりのサイレントピリオドの回数としてサイレントピリオドの発現率を算出し表示するサイレントピリオド発現率算出装置。
【請求項９】
算出された複数のサイレントピリオドの統計値もしくは発現率の差を算出し表示する請求項７、８記載のサイレントピリオド変化量算出装置。
【発明の詳細な説明】
【技術分野】
【０００１】
本発明は、筋電位波形の中に含まれるサイレントピリオドの統計値、発現率及びその変化量算出方法、これらのプログラム及び装置に関する。
【背景技術】
【０００２】
筋電図とは、筋肉から発生する筋電位（活動電位）を導出し、横軸に時間（秒）、縦軸に電位（ｍＶ）を記録したものであり、古くから医科分野だけでなく歯科分野でも検査に用いられてきた。筋電位は細胞膜の興奮に伴って起こる膜電位の変化のことであり、特に歯科分野における筋電図は咬合と顎機能の関係を解明することを目的として研究が行われてきた。
歯科分野における咬合と顎機能の検査の一つとして、サイレントピリオドの検出が知られている。サイレントピリオドとは、筋電位発現中に一時的に筋電位が完全に消失する現象がみられ、この期間のことを示す。サイレントピリオドは、四肢の骨格筋にも認められるが、咬筋、側頭筋では、開口、閉口を繰り返して行う運動であるタッピング運動を行わせることによって容易にサイレントピリオドを誘発できる。
タッピング運動時において、閉口筋は閉口時に収縮、開口時に弛緩するというリズミカルな活動を繰り返すため、筋電図上では周期的な筋電位が観察される。
タッピング運動1周期分の筋活動は、閉口相、サイレントピリオドの潜時（咬合接触からサイレントピリオドが発現するまでの時間）、サイレントピリオド、咬合相に分けられる。まず初めに、閉口相で筋電位が発現する。咬合接触直後にサイレントピリオドの潜時がありその後、サイレントピリオドが発現する。サイレントピリオドの時間的な長さをサイレントピリオドの持続時間という。サイレントピリオドの後、咬合相で再び筋電位が発現する。
【０００３】
正常有歯顎者にできるだけ強いタッピング運動を行わせると、ほぼ100％サイレントピリオドが発現する。一方、咬合異常や顎機能障害などの疾患を有する者の中には、サイレントピリオドの発現率が正常者に比べて低い例が見られる。また、サイレントピリオドが発現しても、その持続時間が短い患者の多くは、咬合異常や顎機能障害の可能性がある。
このようなサイレントピリオドの欠如傾向または、その持続時間が短い傾向を示す患者に対して、咬合調整やスプリント療法を適用し、咬合接触状態の改善を図ると、サイレントピリオドの発現率及びその持続時間が増加する。よってサイレントピリオドを咬合異常や顎機能障害の指標として用いることができる。
このことから、サイレントピリオドの有無、持続時間等々の研究がなされてきた。
【０００４】
従来のサイレントピリオドの解析では、測定者が筋電位波形を目視し、サイレントピリオドの発現時期や持続時間を決めていた。そのため人為的なエラーや測定者の個人差などが発生しやすく、それを排除した一定のデータを取得することが求められてきた。
非特許文献１及び非特許文献２は一連の研究報告であり、筋電計によりサイレントピリオドの自動解析の検討が成されている。しかし、サイレントピリオドの発現時期をタッピング音から０．００５秒後と固定していることから、タッピング音のデータが無い筋電位データは解析できなかった。チェアサイドなどでは騒音が多い為、タッピング音を有する筋電位データを取得することは難しく、タッピング音の無い筋電位データからサイレントピリオドのデータの統計値や発現率などを取得する方法が求められていた。
【先行技術文献】
【非特許文献】
【０００５】
【非特許文献１】筋電図の自動解析 第2報 四筋四区間CoordinationPattern 分析，日本補綴歯科学会雑誌，Vol.24,4， pp.621-627，1980年12月
【非特許文献２】筋電図の自動解析第5報 時間領域に拡張した統計的波形分析法によるSP自動分析，日本補綴歯科学会雑誌，Vol.28,4， pp.709-716，1984年12月
【発明の開示】
【発明が解決しようとする課題】
【０００６】
従来のサイレントピリオドの検出方法では、測定者自らが、表示装置上の筋電位波形を拡大したりして解析を行う必要があるため、サイレントピリオドの見落としや、誤判断をすることがあり、正しく一定の指標で解析を行うことができなかった。
また、臨床現場では検査後に、できるだけ早く患者に症状および治療方針等を説明する必要があるが、このような従来のサイレントピリオドの検出方法では、複数のサイレントピリオドを特定し、解析するのに時間を要した。また、測定者が、過去のサイレントピリオドの解析データと最新のサイレントピリオドの解析データを比較し、患者の咬合状態および顎機能状態の変化を短時間で確認し患者に説明することはできなかった。
非特許文献１、２では、サイレントピリオドの自動解析が報告されているがサイレントピリオドの発現時期をタッピング音から０．００５秒後と固定していることから、タッピング音を測定する必要があった。よってタッピング音の無い筋電位データからサイレントピリオドのデータの統計値や発現率などを取得する方法が求められていた。
【課題を解決するための手段】
【０００７】
本発明は時間単位の筋電位サンプルを有する筋電位データからサイレントピリオドの統計値を算出するサイレントピリオド統計値算出方法であって、
筋電位データ内の最大値と最小値の電位差の２０％以内で任意に設定されたサイレントピリオド発現電位範囲であって０．００２秒〜０．０４秒の範囲で任意に設定されたサイレントピリオド持続時間範囲にある筋電位データ中のデータ群をサイレントピリオドデータ群とし、
サイレントピリオドデータ群の個数、最大時間、最小時間、平均値（時間）、中央値（時間）、最頻値（時間）、標準偏差の内の少なくとも一つ以上を算出し表示するサイレントピリオド統計値算出方法である。
【０００８】
本発明は筋電位データからサイレントピリオドデータ群の発現率を算出するサイレントピリオド発現率算出方法であって、
筋電位データ内の最大値と最小値の電位差の２０％以内で任意に設定されたサイレントピリオド発現電位範囲であって０．００２秒〜０．０４秒の範囲で任意に設定されたサイレントピリオド持続時間範囲にある筋電位データ中のデータ群をサイレントピリオド群とし、
サイレントピリオドデータ群の個数をサイレントピリオド回数とし、
筋電位データ内の最大値と最小値の電位差の２０％以内で任意に設定された筋電位未発現範囲であって０．０２秒〜６０秒の範囲で任意に設定された筋電位未発現時間範囲以上である筋電位データ中のデータ群を筋電位未発現データ群とし、
筋電位未発現データ群の個数から１つ少ない数をタッピング回数とし、
単位タッピング回数あたりのサイレントピリオドの回数としてサイレントピリオドの発現率を算出し表示するサイレントピリオド発現率算出方法である。
【０００９】
本発明はサイレントピリオド発現率算出方法で算出された複数のサイレントピリオドの統計値もしくは発現率の差を算出し表示するサイレントピリオド変化量算出方法である。
【００１０】
本発明は筋電位データからサイレントピリオドの統計値を算出するサイレントピリオド統計値算出プログラムであって、
筋電位データ内の最大値と最小値の電位差の２０％以内で任意に設定されたサイレントピリオド発現電位範囲であって０．００２秒〜０．０４秒の範囲で任意に設定されたサイレントピリオド持続時間範囲にある筋電位データ中のデータ群をサイレントピリオドデータ群とし、
サイレントピリオドデータ群の個数、最大時間、最小時間、平均値（時間）、中央値（時間）、最頻値（時間）、標準偏差の内の少なくとも一つ以上を算出し表示するサイレントピリオド統計値算出プログラムである。
【００１１】
本発明は筋電位データからサイレントピリオドの発現率を算出するサイレントピリオド発現率算出プログラムであって、
筋電位データ内の最大値と最小値の電位差の２０％以内で任意に設定されたサイレントピリオド発現電位範囲であって０．００２秒〜０．０４秒の範囲で任意に設定されたサイレントピリオド持続時間範囲にある筋電位データ中のデータ群をサイレントピリオドデータ群とし、
サイレントピリオドデータ群の個数をサイレントピリオド回数とし、
筋電位データ内の最大値と最小値の電位差の２０％以内で任意に設定された筋電位未発現範囲であって０．０２秒〜６０秒の範囲で任意に設定された筋電位未発現時間範囲以上である筋電位データ中のデータ群を筋電位未発現データ群とし、
筋電位未発現データ群の個数から１つ少ない数をタッピング回数とし、
単位タッピング回数あたりのサイレントピリオドの回数としてサイレントピリオドの発現率を算出し表示するサイレントピリオド発現率算出プログラムである。
【００１２】
本発明は、サイレントピリオド発現率算出プログラムで算出された複数のサイレントピリオドの統計値もしくは発現率の差を算出し表示するサイレントピリオド変化量算出プログラムである。
【００１３】
本発明は筋電位データからサイレントピリオドの統計値を算出する記憶装置、演算装置、入力装置、表示装置を有するサイレントピリオド統計値算出装置であって、
入力装置を用いて、記憶装置に保存された筋電位データをソフトウェアにて読み出し、演算装置にて、筋電位データ内の最大値と最小値の電位差の２０％以内で任意に設定されたサイレントピリオド発現電位範囲及びその持続時間を算出し、その持続時間が０．００２秒〜０．０４秒の範囲で任意に設定されたサイレントピリオド持続時間範囲にある場合、その筋電位データ中のデータ群をサイレントピリオドデータ群と認定し、
認定されたサイレントピリオドデータ群からサイレントピリオド群の個数、最大時間、最小時間、平均値（時間）、中央値（時間）、最頻値（時間）、標準偏差の内の少なくとも一つ以上を算出し表示するサイレントピリオド統計値算出装置である。
【００１４】
本発明は筋電位データからサイレントピリオドの発現率を算出する記憶装置、演算装置、入力装置、表示装置を有するサイレントピリオド発現率算出装置であって、
入力装置を用いて、記憶装置に保存された筋電位データをソフトウェアにて読み出し、演算装置にて、筋電位データ内の最大値と最小値の電位差の２０％以内で任意に設定されたサイレントピリオド発現電位範囲及びその持続時間を算出し、その持続時間が０．００２秒〜０．０４秒の範囲で任意に設定されたサイレントピリオド持続時間範囲にある場合、その筋電位データ中のデータ群をサイレントピリオドデータ群と認定し、
認定されたサイレントピリオドデータ群の個数をサイレントピリオド回数とし
演算装置を用いて、筋電位データ内の最大値と最小値の電位差の２０％以内で任意に設定された筋電位未発現範囲及びその持続時間を算出し、その持続時間が０．０２秒〜６０秒の範囲で任意に設定された筋電位未発現時間範囲にある場合、そのデータ群を筋電位未発現データ群とし、
筋電位未発現データ群の個数から１つ少ない数をタッピング回数とし、
単位タッピング回数あたりのサイレントピリオドの回数としてサイレントピリオドの発現率を算出し表示するサイレントピリオド発現率算出装置である。
【００１５】
本発明は算出された複数のサイレントピリオドの統計値もしくは発現率の差を算出し表示するサイレントピリオド変化量算出装置である。
【発明の効果】
【００１６】
本発明によるサイレントピリオドの統計値、発現率及びその変化量算出方法、これらのプログラム及び装置を用いて、サイレントピリオド統計値、発現率、複数のサイレントピリオドの統計値、発現率の変化量を算出および、検出し、表示装置に表示することで、人為的なエラーや測定者の個人差などを排除した一定のデータを取得することができ、患者に症状および治療方針を短時間に説明することが可能になる。
これまでの頭頸部の筋肉の研究では上下顎の接触時の歯牙接触音（タッピング音）を頼りにサイレントピリオドの発現時期を予測していたが、本発明でではタッピング音は利用せずにサイレントピリオドの発現時期を正しく予測することが可能になる。
【発明を実施するための最良の形態】
【００１７】
筋電位データとは人体から入手した筋電位であって、時間単位の筋電位サンプルの集合である。人体は筋肉を動かすときに筋電位を生じ、この筋電位を筋電位計測装置で計測することにより筋電位データを取得することができる。また、本発明はサイレントピリオドの有無を調べることを目的とするため、本発明に用いる筋電位データは臨床的にサイレントピリオドを有する部位から取得した筋電位データであればよいが、頭頸部の筋肉の筋電位データであることが好ましい。筋電位データは、サンプリング周期０．００２秒以下で取得されたデータ群であることが好ましい。このサンプリング周期は筋電位計測装置のスペックで決まるものである。
筋電位データは、１回の筋活動のデータでも良いが、本発明は複数回繰り返された筋活動をまとめたものであっても測定することができる。１０〜１００回の筋活動のデータであることが好ましい。
【００１８】
初めに、筋電位データの最大値と最小値の電位差を検出する。次に筋電位データ内の最大値と最小値の電位差の２０％以内で任意に設定された範囲をサイレントピリオド発現電位範囲として認定する。サイレントピリオド発現電位範囲の閾値は、記憶装置から読み込まれた筋電位データに含まれるノイズ成分と信号成分を明確に区別するため、筋電位データ内の最大値と最小値の電位差の２０％であることが好ましい。
好ましいサイレントピリオド発現電位範囲の認定方法を次に説明する。
筋電位計測装置によって決まる筋電位データの出力レンジの半分である基準電位を検出する。次に、筋電位データ内の出力レンジの最大値と最小値の電位差の−１０％〜１０％以内で任意に設定された範囲が、基準電位に対して上下対称にある範囲をサイレントピリオド発現電位範囲として認定する。このサイレントピリオド発現電位範囲は、基準電位に対して−０．５ｍＶ〜０．５ｍＶの範囲以下であることが好ましい。このサイレントピリオド発現電位範囲は設計者もしくは測定者が決定するものである。
【００１９】
０．００２秒〜０．０４秒の範囲内で決められる任意の時間をサイレントピリオド持続時間範囲として認定する。このサイレントピリオド持続時間範囲は設計者もしくは測定者が決定するものである。
予め決められた任意のサイレントピリオド持続時間範囲は０．００２秒〜０．０２秒の範囲であることが好ましい。
筋電位データがサイレントピリオド発現範囲かつサイレントピリオド持続時間範囲にある場合、これらの筋電位データの集合がサイレントピリオドデータ群となる。
【００２０】
サイレントピリオドデータ群から、サイレントピリオドデータ群の個数、最大時間、最小時間、平均値（時間）、中央値（時間）、最頻値（時間）、標準偏差などの統計値を算出することができ、それらの内一つでも表示することが好ましい。特に、個数と平均値（時間）、中央値（時間）、最頻値（時間）のいずれかを算出し表示することが好ましい。本発明は前記方法を用いてサイレントピリオドの統計値を算出し表示するサイレントピリオド統計値算出方法である。
【００２１】
次にサイレントピリオドの発現率を算出する為に、タッピング回数を算出する方法を説明する。
尚、サイレントピリオドの発現率を算出するには前記サイレントピリオドの個数も用いる。サイレントピリオドの個数はサイレントピリオドデータ群の個数である。
【００２２】
初めに、筋電位データの最大値と最小値の電位差を検出する。次に筋電位データ内の最大値と最小値の電位差の２０％以内で任意に設定された範囲を筋電位未発現範囲として認定する。好ましい筋電位未発現範囲の認定方法を次に説明する。
筋電位計測装置によって決まる筋電位データの出力レンジの半分である基準電位を検出する。次に、筋電位データ内の出力レンジの最大値と最小値の電位差の−１０％〜１０％以内で任意に設定された範囲が、基準電位に対して上下対称にある範囲を筋電位未発現範囲として認定する。この筋電位未発現範囲は、基準電位に対して−０．５ｍＶ〜０．５ｍＶの範囲以下であることが好ましい。
【００２３】
０．０２秒〜６０秒の範囲内で決められる任意の時間を筋電位未発現時間範囲として認定する。この筋電位未発現時間範囲は設計者もしくは測定者が決定するものである。好ましくは、０．０３秒〜０．１秒である。
【００２４】
筋電位データが筋電位未発現範囲でかつ筋電位未発現時間範囲以上にある場合、これらの筋電位データの集合が筋電位未発現データ群となり、その個数から１つ少ない数をタッピング回数とする。
単位タッピング回数あたりのサイレントピリオドの回数としてサイレントピリオドの発現率を算出し表示するサイレントピリオド発現率算出方法である。
発現率の表示として、特に限定するものではないが、（サイレントピリオドの回数／単位タッピング回数）として、分数や小数で表示してもよいが、％で表現することが考えられる。
また、前記方法で算出された複数のサイレントピリオドの統計値もしくは発現率の変化量を算出し表示するサイレントピリオド変化量算出方法であることが好ましい。
【００２５】
前記方法をプログラムで再現することは好ましい。以下に、サイレントピリオド統計値を算出するステージ毎にプログラムの実行方法を説明する。
（ステージ１）筋電位データを読み込む。
（ステージ２）筋電位データ内の最大値と最小値の電位差の２０％以内で任意に設定されたサイレントピリオド発現電位範囲と、０．００２秒〜０．０４秒の範囲で任意に設定されたサイレントピリオド持続時間範囲と、出力レンジを設定する。
（ステージ３）設定したサイレントピリオド発現電位範囲とサイレントピリオド持続時間範囲にある筋電位データ中のデータ群からサイレントピリオドデータ群を算出する。
または、基準電位に対して上下対称に設定したサイレントピリオド発現電位範囲とサイレントピリオド持続時間範囲にある筋電位データ中のデータ群からサイレントピリオドデータ群を算出する。
（ステージ４）サイレントピリオドデータ群から、サイレントピリオドの統計値の内の少なくとも一つを算出する。
【００２６】
次に、サイレントピリオドの発現率を算出するステージ毎にプログラムの実行方法を説明する。
（ステージ１）筋電位データを読み込む。
（ステージ２）筋電位データ内の最大値と最小値の電位差の２０％以内で任意に設定されたサイレントピリオド発現電位範囲と、０．００２秒〜０．０４秒の範囲で任意に設定されたサイレントピリオド持続時間範囲と、出力レンジを設定する。
（ステージ３）設定したサイレントピリオド発現電位範囲とサイレントピリオド持続時間範囲にある筋電位データ中のデータ群からサイレントピリオドデータ群を算出する。
または、基準電位に対して上下対称に設定したサイレントピリオド発現電位範囲とサイレントピリオド持続時間範囲にある筋電位データ中のデータ群からサイレントピリオドデータ群を算出する。
【００２７】
（ステージ４）サイレントピリオドデータ群から、その個数を算出する。
（ステージ５）筋電位データ内の最大値と最小値の電位差の２０％以内で任意に設定された筋電位未発現範囲と、０．０２秒〜６０秒の範囲で任意に設定された筋電位未発現時間範囲と、出力レンジを設定する。
（ステージ６）設定した筋電位未発現範囲と筋電位未発現時間範囲以上にある筋電位データ中のデータ群の個数から１つ少ない数をタッピング回数として算出する。
または、基準電位に対して上下対称に設定した筋電位未発現範囲と筋電位未発現時間範囲以上にある筋電位データ中のデータ群の個数から１つ少ない数をタッピング回数として算出する。
（ステージ７）単位タッピング回数あたりのサイレントピリオドの回数としてサイレントピリオドの発現率を算出する。
但し、ステージ５、６はステージ２の前に実施してもよい。
【００２８】
次に、サイレントピリオド変化量を算出するステージ毎にプログラムの実行方法を説明する。
（ステージ１）複数の筋電位データから前記方法にて算出されたサイレントピリオドの統計値や発現率の変化量を表示する。
複数の筋電位データは同一人物の時間が異なる筋電位データであることや、異なる人物のデータである。
【００２９】
前記方法や前記プログラムが実行できる装置であって、サイレントピリオドの統計値や発現率、変化量を算出するための装置は少なくとも記憶装置、演算装置、入力装置、表示装置を有する。次にサイレントピリオドの統計値、発現率、変化量を算出するための装置の作動方法を説明する。
（ステージ１）記憶装置に保存された筋電位データを演算装置に読み込む。
（ステージ２）筋電位データ内の最大値と最小値の電位差の２０％以内で任意に設定されたサイレントピリオド発現電位範囲と、０．００２秒〜０．０４秒の範囲で任意に設定されたサイレントピリオド持続時間範囲と出力レンジを、入力装置を用いて設定する。
（ステージ３）設定したサイレントピリオド発現電位範囲とサイレントピリオド持続時間範囲にある筋電位データ中のデータ群からサイレントピリオドデータ群を、演算装置で算出する。
または、基準電位に対して上下対称に設定したサイレントピリオド発現電位範囲とサイレントピリオド持続時間範囲にある筋電位データ中のデータ群からサイレントピリオドデータ群を、演算装置で算出する。
（ステージ４）サイレントピリオドデータ群からサイレントピリオドの統計値の内の少なくとも一つを演算装置で算出し、表示装置に表示し、記憶装置に保存する。
【００３０】
次にサイレントピリオド発現率を算出するための装置の作動方法を説明する。
（ステージ１）記憶装置に保存された筋電位データを演算装置に読み込む。
（ステージ２）筋電位データ内の最大値と最小値の電位差の２０％以内で任意に設定されたサイレントピリオド発現電位範囲と、０．００２秒〜０．０４秒の範囲で任意に設定されたサイレントピリオド持続時間範囲と出力レンジを、入力装置を用いて設定する。
（ステージ３）設定したサイレントピリオド発現電位範囲とサイレントピリオド持続時間範囲にある筋電位データ中のデータ群からサイレントピリオドデータ群を、演算装置で算出する。
または、基準電位に対して上下対称に設定したサイレントピリオド発現電位範囲とサイレントピリオド持続時間範囲にある筋電位データ中のデータ群からサイレントピリオドデータ群を、演算装置で算出する。
【００３１】
（ステージ４）サイレントピリオドデータ群からその個数を演算装置で算出する。
（ステージ５）筋電位データ内の最大値と最小値の電位差の２０％以内で任意に設定された筋電位未発現範囲と、０．０２秒〜６０秒の範囲で任意に設定された筋電位未発現時間範囲と、出力レンジを、入力装置を用いて設定する。
（ステージ６）設定されたもしくは設定できるモードから設定した筋電位未発現範囲と筋電位未発現時間範囲以上にある筋電位データ中のデータ群の個数から１つ少ない数をタッピング回数として演算装置を用いて算出する。
または、基準電位に対して上下対称に設定した筋電位未発現範囲と筋電位未発現時間範囲以上にある筋電位データ中のデータ群の個数から１つ少ない数をタッピング回数として演算装置を用いて算出する。
（ステージ７）単位タッピング回数あたりのサイレントピリオドの回数としてサイレントピリオドの発現率を演算装置で算出し、表示装置に表示し記憶装置に保存する。
但し、ステージ５、６はステージ２の前に実施してもよい。
【００３２】
次に、サイレントピリオドの変化量を算出するための装置の作動方法を説明する。
（ステージ１）複数の筋電位データから前記方法にて算出されたサイレントピリオドの統計値や発現率の変化量を演算装置で算出し、表示装置に表示し、記憶装置に保存する。
【００３３】
本発明に用いる好ましいサイレントピリオドの統計値、発現率及びその変化量算出方法、これらのプログラム及び装置にいついて説明する。
本装置は、記憶装置、演算装置、入力装置、表示装置、本発明のプログラム等を搭載する。また本発明の装置は、筋電位計測装置に組み込まれていてもよい。
記憶装置は、筋電位計測装置で測定された筋電位データを保存する機能を有しているものであれば何でもよいが、好ましくはHDD、更に好ましくは、ICタイプのメモリやSDカード、MicroSDカード、USBメモリなどのフラッシュメモリのような外部記憶装置で大容量のものである。
演算装置は、筋電位データ中からサイレントピリオドデータ群を検出し、サイレントピリオドの統計値、発現率を算出する機能を有する。
また、複数の筋電位データ中のサイレントピリオドの統計値、発現率の変化量を算出する機能を有するものであれば何でも良いが、好ましくはコンピュータのCPUである。
入力装置は、測定者が操作できるものであれば何でも良いが、好ましくはキーボード、タッチパネル、マウス等である。
表示装置は、筋電位データを表示する機能を有するものであればなんでも良いが、好ましくはディスプレイである。
【００３４】
好ましいサイレントピリオドの統計値、発現率及びその変化量算出方法、これらのプログラム及び装置について具体的に図３をもとに以下に説明する。
本発明による記憶装置を備えた筋電位計測装置には、筋電位計測用の生体電極を備えても良い。
まず初めに、記憶装置を取り付けた筋電位計測装置に接続された生体用電極を被験者の側頭筋または咬筋に貼り付ける。
次に、被験者に少なくとも複数回タッピング運動を行ってもらい、被験者から発現した筋電位をA/D変換器を用いて、任意のサンプリング周期でA/D変換を行い、筋電位データとして記憶装置に保存する。
次に、入力装置を用いて、本発明のプログラムを立ち上げ、サイレントピリオド発現電位範囲、サイレントピリオド持続時間範囲、筋電位未発現範囲、筋電位未発現時間範囲の設定を行う。なお、これらの設定条件は任意に変更することができる。
次に、プログラム上の「ファイル」タブを選択実行し、「開く」タブを選択実行し、記憶装置に保存された筋電位データを読み出し、筋電位データを横軸に時間、縦軸に筋電位を表した筋電位波形、出力レンジ、基準電位を表示装置に表示する。また、筋電位計測装置で筋電位データの測定開始時点および、測定終了時点も表示することもできる。
次に、プログラム上の「解析」タブを選択実行し、サイレントピリオドの統計値、発現率の内の少なくとも一つ以上を算出し表示する。
次に、「保存」タブを選択実行し、前記結果を記憶装置に保存する。
次に、前記方法から続けて複数の異なる時期に測定した筋電位データのサイレントピリオドの統計値、発現率を比較する場合は、まず初めに、「ファイル」タブを選択実行し、「開く」タブを選択実行し、記憶装置に保存されている所望の筋電位データを読み出し筋電位波形及びまたはサイレントピリオドの統計値、発現率を表示する。このとき、サイレントピリオドの統計値、発現率を算出した日付も表示する。
次に「データの比較」タブを選択実行し、サイレントピリオドの統計値、発現率の変化量を表示する。
次に「保存」タブを選択実行し、前記サイレントピリオドの統計値、発現率の変化量を記憶装置に保存する。
【産業上の利用可能性】
【００３５】
筋電位を見落としや間違いなく測定し、サイレントピリオドの統計値、発現率、変化量を短時間に患者へ説明することに適している。
【図面の簡単な説明】
【００３６】
【図１】筋電位データからサイレントピリオドの統計値を算出するサイレントピリオド統計値算出プログラムのブロック図
【図２】筋電位データからサイレントピリオドの発現率を算出するサイレントピリオド発現率算出プログラムのブロック図
【図３】表示装置の具体例を示す図
【符号の説明】
【００３７】
１  「ファイル」タブ
２  「開く」タブ
３  「保存」タブ
４  「解析」タブ
５  「データの比較」タブ
６  筋電位波形
７  出力レンジ
８  基準電位
９  測定開始時点
１０  測定終了時点
１１  サイレントピリオドの統計値、発現率、変化量
１２  サイレントピリオド発現電位範囲
１３  サイレントピリオド持続時間範囲
１４  筋電位未発現範囲
１５  筋電位未発現時間範囲      
【図１】
2015188654.tif 000003
【図２】
2015188654.tif 000004
【図３】
2015188654.tif 000005